【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
第１の色成分に対応したデータ、第２の色成分に対応したデータ及び第３の色成分に対応したデータに基づいて白成分に対応したデータを導出し、この導出したデータに対応する電圧を白成分に対応した画素に供給する表示素子の駆動方法において、
前記第１の色成分に対応したデータ、前記第２の色成分に対応したデータ及び前記第３の色成分に対応したデータのうち最も低い輝度に対応したデータに基づいて他の色成分のデータを補正し、この補正したデータに対応する電圧を対応する色成分の画素に供給することを特徴とする表示素子の駆動方法。
【請求項２】
赤、緑、青、及び白の４つの画素により１つの絵素を構成する表示素子を、供給された赤、緑、青の３色の階調データによって駆動する方法において、
１つの絵素の各色を定義するためのＲ，Ｇ，Ｂの各階調データＤR，ＤG，ＤBに基づき、
Ｒ’R＝ＲR{１＋ｔＲmin（ＬmaxR＋ＬmaxG＋ＬmaxB）／（ＲRＬmaxR＋ＲGＬmaxG＋ＲBＬmaxB）}−Ｒ’WＬmaxW／（ＬmaxR＋ＬmaxG＋ＬmaxB）、
Ｒ’G＝ＲG{１＋ｔＲmin（ＬmaxR＋ＬmaxG＋ＬmaxB）／（ＲRＬmaxR＋ＲGＬmaxG＋ＲBＬmaxB）}−Ｒ’WＬmaxW／（ＬmaxR＋ＬmaxG＋ＬmaxB）、
Ｒ’B＝ＲB{１＋ｔＲmin（ＬmaxR＋ＬmaxG＋ＬmaxB）／（ＲRＬmaxR＋ＲGＬmaxG＋ＲBＬmaxB）}−Ｒ’WＬmaxW／（ＬmaxR＋ＬmaxG＋ＬmaxB）、
ただし、
Ｒ’，Ｒ’G，Ｒ’B，Ｒ’Wは、Ｒ，Ｇ，Ｂ，Ｗの各画素へ駆動階調値Ｄ’R，Ｄ’G，Ｄ’B，Ｄ’Wに対応する電圧を印加したときの輝度を表示輝度Ｌ’R，Ｌ’G，Ｌ’B，Ｌ’Wとし、
Ｒ，Ｇ，Ｂ，Ｗの画素それぞれの最大階調値の輝度を最大階調輝度ＬmaxR，ＬmaxG，ＬmaxB，ＬmaxWとし、
前記駆動階調値Ｄ’R，Ｄ’G，Ｄ’B，Ｄ’Wに対応する電圧を印加したときの輝度率を表示輝度率Ｒ’R＝Ｌ’R／ＬmaxR，Ｒ’G＝Ｌ’G／ＬmaxG，Ｒ’B＝Ｌ’B／ＬmaxB，Ｒ’W＝Ｌ’W／ＬmaxWとし、
Ｒ，Ｇ，Ｂの各画素へ各階調データＤR，ＤG，ＤBに対応する電圧を印加したときの輝度である階調データ輝度をＬR，ＬG，ＬBとし、
この階調データ輝度ＬR，ＬG，ＬBの階調データ輝度率をＲR＝ＬR／ＬmaxR，ＲG＝ＬG／ＬmaxG，ＲB＝ＬB／ＬmaxBとし、
これら階調データ輝度率をＲR，ＲG，ＲBのうちの最小値をＲminとし、tを０以上、ＬmaxW／（ＬmaxW＋ＬmaxG＋ＬmaxB）以下の範囲の予め定めた任意の実数値とする、
の各式を満たすように、Ｒ，Ｇ，Ｂ，Ｗの各画素へ供給する駆動階調値Ｄ’R，Ｄ’G，Ｄ’B，Ｄ’Wを算出し、それぞれの画素に供給することを特徴とする表示素子の駆動方法。
【請求項３】
赤、緑、青、及び白の４つの画素により１つの絵素を構成する表示素子を、供給された赤、緑、青の３色の階調データＤR，ＤG，ＤBに基づいて赤、緑、青、白の４つの画素にそれぞれ供給する４つの駆動階調値Ｄ’R，Ｄ’G，Ｄ’B，Ｄ’Wを生成して各画素に供給することによって駆動する駆動方法において、
前記４つの駆動階調値Ｄ’R，Ｄ’G，Ｄ’B，Ｄ’Wは、
階調データＤR，ＤG，ＤBがすべて０のときは、すべて０とし、
階調データＤR，ＤG，ＤBがすべて０のとき以外のとき、
駆動階調値Ｄ’Rは、
ＤR{１＋ｔＲmin（ＬmaxR＋ＬmaxG＋ＬmaxB）／（ＲRＬmaxR＋ＲGＬmaxG＋ＲBＬmaxB）}−Ｃ’ＬmaxW／（ＬmaxR＋ＬmaxG＋ＬmaxB）、
を整数化した値に、
駆動階調値Ｄ’Gは、
ＤG{１＋ｔＲmin（ＬmaxR＋ＬmaxG＋ＬmaxB）／（ＲRＬmaxR＋ＲGＬmaxG＋ＲBＬmaxB）}−Ｃ’ＬmaxW／（ＬmaxR＋ＬmaxG＋ＬmaxB）、
を整数化した値に、
駆動階調値Ｄ’Bは、
ＤB{１＋ｔＲmin（ＬmaxR＋ＬmaxG＋ＬmaxB）／（ＲRＬmaxR＋ＲGＬmaxG＋ＲBＬmaxB）}−Ｃ’ＬmaxW／（ＬmaxR＋ＬmaxG＋ＬmaxB）、
を整数化した値に、
駆動階調値Ｄ’Wは、Ｃ’を整数化した値に、
ただし、
各色画素の輝度率をＲR＝ＤR／Ｄf，ＲG＝ＤG／Ｄf，ＲB＝ＤB／Ｄf（Ｄfは最大階調の値）とし、
Ｒ’R，Ｒ’G，Ｒ’B，Ｒ’Wは、Ｒ，Ｇ，Ｂ，Ｗの各画素へ駆動階調値Ｄ’R，Ｄ’G，Ｄ’B，Ｄ’Wに対応する電圧を印加したときの輝度を表示輝度Ｌ’R，Ｌ’G，Ｌ’B，Ｌ’Wとし、Ｒ，Ｇ，Ｂ，Ｗの画素それぞれの最大階調値の輝度を最大階調輝度ＬmaxR，ＬmaxG，ＬmaxB，ＬmaxWとし、
駆動階調値Ｄ’R，Ｄ’G，Ｄ’B，Ｄ’Wに対応する電圧を印加したときの輝度率を表示輝度率Ｒ’R＝Ｌ’R／ＬmaxR，Ｒ’G＝Ｌ’G／ＬmaxG，Ｒ’B＝Ｌ’B／ＬmaxB，Ｒ’W＝Ｌ’W／ＬmaxWとし、
Ｒ，Ｇ，Ｂの各画素へ各階調データＤR，ＤG，ＤBに対応する電圧を印加したときの輝度である階調データ輝度をＬR，ＬG，ＬBとし、
階調データ輝度ＬR，ＬG，ＬBの階調データ輝度率をＲR＝ＬR／ＬmaxR，ＲG＝ＬG／ＬmaxG，ＲB＝ＬB／ＬmaxBとし、
これら階調データ輝度率をＲR，ＲG，ＲBのうちの最小値をＲminとし、tを０以上、ＬmaxW／（ＬmaxW＋ＬmaxG＋ＬmaxB）以下の範囲の予め定めた任意の実数値とし、
ここで、Ｃ’は、
ＤR{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤG{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤB{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
のうちの、最も小さい値をＤ’minとするとき、
Ｄ’minがＤf以下の場合は、その値とし、
Ｄ’minがＤfより大きい場合は、Ｄfの値とする、
の各式を満たすように、Ｒ，Ｇ，Ｂ，Ｗの各画素へ供給する駆動階調値Ｄ’R，Ｄ’G，Ｄ’B，Ｄ’Wを算出し、それぞれの画素に供給することを特徴とする表示素子の駆動方法。
【手続補正２】
【補正対象書類名】明細書
【補正対象項目名】００１０
【補正方法】変更
【補正の内容】
【００１０】
請求項１記載の液晶表示素子の駆動方法は、
第１の色成分に対応したデータ、第２の色成分に対応したデータ及び第３の色成分に対応したデータに基づいて白成分に対応したデータを導出し、この導出したデータに対応する電圧を白成分に対応した画素に供給する表示素子の駆動方法において、
前記第１の色成分に対応したデータ、前記第２の色成分に対応したデータ及び前記第３の色成分に対応したデータのうち最も低い輝度に対応したデータに基づいて他の色成分のデータを補正し、この補正したデータに対応する電圧を対応する色成分の画素に供給することを特徴とする。
【手続補正３】
【補正対象書類名】明細書
【補正対象項目名】００１１
【補正方法】変更
【補正の内容】
【００１１】
請求項２記載の液晶表示素子の駆動方法は、
赤、緑、青、及び白の４つの画素により１つの絵素を構成する表示素子を、供給された赤、緑、青の３色の階調データによって駆動する方法において、
１つの絵素の各色を定義するためのＲ，Ｇ，Ｂの各階調データＤR，ＤG，ＤBに基づき、
Ｒ’R＝ＲR{１＋ｔＲmin（ＬmaxR＋ＬmaxG＋ＬmaxB）／（ＲRＬmaxR＋ＲGＬmaxG＋ＲBＬmaxB）}−Ｒ’WＬmaxW／（ＬmaxR＋ＬmaxG＋ＬmaxB）、
Ｒ’G＝ＲG{１＋ｔＲmin（ＬmaxR＋ＬmaxG＋ＬmaxB）／（ＲRＬmaxR＋ＲGＬmaxG＋ＲBＬmaxB）}−Ｒ’WＬmaxW／（ＬmaxR＋ＬmaxG＋ＬmaxB）、
Ｒ’B＝ＲB{１＋ｔＲmin（ＬmaxR＋ＬmaxG＋ＬmaxB）／（ＲRＬmaxR＋ＲGＬmaxG＋ＲBＬmaxB）}−Ｒ’WＬmaxW／（ＬmaxR＋ＬmaxG＋ＬmaxB）、
ただし、
Ｒ’，Ｒ’G，Ｒ’B，Ｒ’Wは、Ｒ，Ｇ，Ｂ，Ｗの各画素へ駆動階調値Ｄ’R，Ｄ’G，Ｄ’B，Ｄ’Wに対応する電圧を印加したときの輝度を表示輝度Ｌ’R，Ｌ’G，Ｌ’B，Ｌ’Wとし、
Ｒ，Ｇ，Ｂ，Ｗの画素それぞれの最大階調値の輝度を最大階調輝度ＬmaxR，ＬmaxG，ＬmaxB，ＬmaxWとし、
前記駆動階調値Ｄ’R，Ｄ’G，Ｄ’B，Ｄ’Wに対応する電圧を印加したときの輝度率を表示輝度率Ｒ’R＝Ｌ’R／ＬmaxR，Ｒ’G＝Ｌ’G／ＬmaxG，Ｒ’B＝Ｌ’B／ＬmaxB，Ｒ’W＝Ｌ’W／ＬmaxWとし、
Ｒ，Ｇ，Ｂの各画素へ各階調データＤR，ＤG，ＤBに対応する電圧を印加したときの輝度である階調データ輝度をＬR，ＬG，ＬBとし、
この階調データ輝度ＬR，ＬG，ＬBの階調データ輝度率をＲR＝ＬR／ＬmaxR，ＲG＝ＬG／ＬmaxG，ＲB＝ＬB／ＬmaxBとし、
これら階調データ輝度率をＲR，ＲG，ＲBのうちの最小値をＲminとし、tを０以上、ＬmaxW／（ＬmaxW＋ＬmaxG＋ＬmaxB）以下の範囲の予め定めた任意の実数値とする、
の各式を満たすように、Ｒ，Ｇ，Ｂ，Ｗの各画素へ供給する駆動階調値Ｄ’R，Ｄ’G，Ｄ’B，Ｄ’Wを算出し、それぞれの画素に供給することを特徴とする。
請求項３記載の液晶表示素子の駆動方法は、
赤、緑、青、及び白の４つの画素により１つの絵素を構成する表示素子を、供給された赤、緑、青の３色の階調データＤR，ＤG，ＤBに基づいて赤、緑、青、白の４つの画素にそれぞれ供給する４つの駆動階調値Ｄ’R，Ｄ’G，Ｄ’B，Ｄ’Wを生成して各画素に供給することによって駆動する駆動方法において、
前記４つの駆動階調値Ｄ’R，Ｄ’G，Ｄ’B，Ｄ’Wは、
階調データＤR，ＤG，ＤBがすべて０のときは、すべて０とし、
階調データＤR，ＤG，ＤBがすべて０のとき以外のとき、
駆動階調値Ｄ’Rは、
ＤR{１＋ｔＲmin（ＬmaxR＋ＬmaxG＋ＬmaxB）／（ＲRＬmaxR＋ＲGＬmaxG＋ＲBＬmaxB）}−Ｃ’ＬmaxW／（ＬmaxR＋ＬmaxG＋ＬmaxB）、
を整数化した値に、
駆動階調値Ｄ’Gは、
ＤG{１＋ｔＲmin（ＬmaxR＋ＬmaxG＋ＬmaxB）／（ＲRＬmaxR＋ＲGＬmaxG＋ＲBＬmaxB）}−Ｃ’ＬmaxW／（ＬmaxR＋ＬmaxG＋ＬmaxB）、
を整数化した値に、
駆動階調値Ｄ’Bは、
ＤB{１＋ｔＲmin（ＬmaxR＋ＬmaxG＋ＬmaxB）／（ＲRＬmaxR＋ＲGＬmaxG＋ＲBＬmaxB）}−Ｃ’ＬmaxW／（ＬmaxR＋ＬmaxG＋ＬmaxB）、
を整数化した値に、
駆動階調値Ｄ’Wは、Ｃ’を整数化した値に、
ただし、
各色画素の輝度率をＲR＝ＤR／Ｄf，ＲG＝ＤG／Ｄf，ＲB＝ＤB／Ｄf（Ｄfは最大階調の値）とし、
Ｒ’R，Ｒ’G，Ｒ’B，Ｒ’Wは、Ｒ，Ｇ，Ｂ，Ｗの各画素へ駆動階調値Ｄ’R，Ｄ’G，Ｄ’B，Ｄ’Wに対応する電圧を印加したときの輝度を表示輝度Ｌ’R，Ｌ’G，Ｌ’B，Ｌ’Wとし、Ｒ，Ｇ，Ｂ，Ｗの画素それぞれの最大階調値の輝度を最大階調輝度ＬmaxR，ＬmaxG，ＬmaxB，ＬmaxWとし、
駆動階調値Ｄ’R，Ｄ’G，Ｄ’B，Ｄ’Wに対応する電圧を印加したときの輝度率を表示輝度率Ｒ’R＝Ｌ’R／ＬmaxR，Ｒ’G＝Ｌ’G／ＬmaxG，Ｒ’B＝Ｌ’B／ＬmaxB，Ｒ’W＝Ｌ’W／ＬmaxWとし、
Ｒ，Ｇ，Ｂの各画素へ各階調データＤR，ＤG，ＤBに対応する電圧を印加したときの輝度である階調データ輝度をＬR，ＬG，ＬBとし、
階調データ輝度ＬR，ＬG，ＬBの階調データ輝度率をＲR＝ＬR／ＬmaxR，ＲG＝ＬG／ＬmaxG，ＲB＝ＬB／ＬmaxBとし、
これら階調データ輝度率をＲR，ＲG，ＲBのうちの最小値をＲminとし、tを０以上、ＬmaxW／（ＬmaxW＋ＬmaxG＋ＬmaxB）以下の範囲の予め定めた任意の実数値とし、
ここで、Ｃ’は、
ＤR{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤG{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤB{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
のうちの、最も小さい値をＤ’minとするとき、
Ｄ’minがＤf以下の場合は、その値とし、
Ｄ’minがＤfより大きい場合は、Ｄfの値とする、
の各式を満たすように、Ｒ，Ｇ，Ｂ，Ｗの各画素へ供給する駆動階調値Ｄ’R，Ｄ’G，Ｄ’B，Ｄ’Wを算出し、それぞれの画素に供給することを特徴とする。